【手続補正書】
【提出日】令和2年3月3日(2020.3.3)
【手続補正１】
【補正対象書類名】特許請求の範囲
【補正対象項目名】全文
【補正方法】変更
【補正の内容】
【特許請求の範囲】
【請求項１】
薬剤送達装置であって、
薬剤容器（２６）を収容するように配置された筐体（１６、１８）と、
前記筐体の中に配置される動力装置（６４）とを備え、前記動力装置は、プランジャーロッド（１１２）と、前記プランジャーロッド（１１２）に対して作用するように動作可能に配置された駆動用ばね（１１４）を含み、前記駆動用ばね（１１４）は、有効時に前記薬剤容器（２６）に対して作用するように動作可能に配置され、前記動力装置は、さらに、前記駆動用ばね（１１４）が伸長した状態において前記プランジャーロッド（１１２）を解放可能に保持可能な保持要素（９４、１００）を含むアクチュエータ（９０）と、保持状態に前記保持要素（９４、１００）を解放可能にロックするための、前記アクチュエータ（９０）に動作可能に接続されたアクチュエータ・スリーブ（７６）とを含み、前記薬剤送達装置は、さらに、
前記筐体（１６、１８）の中で摺動可能に移動可能であり、前記アクチュエータ・スリーブ（７６）を有する前記保持要素（９４、１００）を第１有効状態にセットするために前記アクチュエータ・スリーブ（７６）に対して作用するように配置された薬剤送達部材ガード（３４）と、手動で操作されるように配置され、前記アクチュエータ・スリーブ（７６）を有する前記保持要素（９４、１００）を第２有効状態にセットするために前記プランジャーロッド（１１２）に動作可能に接続されるアクティベータ部（１２４）とを備え、
有効状態の両方がセットされた場合、前記プランジャーロッド（１１２）のロックが解除され、
前記アクティベータ部（１２４）は、摺動可能に移動可能であり、前記アクティベータ部（１２４）の遠位方向とは逆向きである近位方向への動きによって、前記プランジャーロッド（１１２）は動かされ、それによって前記保持要素は動かされて前記第２有効状態になり、
前記アクティベータ部（１２４）は、前記プランジャーロッド（１１２）の端面に対して作用するように配置された押し要素（１２６、１３４）を含み、
前記押し要素（１２６、１３４）は、第１部分（１２６）と、前記第１部分（１２６）とは別のパーツである第２部分（１３４）と、を有している、
薬剤送達装置。
【請求項２】
前記保持要素は、前記プランジャーロッド（１１２）の凹部（１２２）と係合するように配置された突起（１００）を有して配置された複数の舌部（９４）を備える、請求項１に記載の薬剤送達装置。
【請求項３】
前記アクチュエータ・スリーブ（７６）は、前記アクチュエータ（９０）に対して摺動可能に配置され、前記薬剤送達部材ガード（３４）の前記遠位方向への動きによって、前記アクチュエータ・スリーブ（７６）は前記遠位方向に動かされて前記第１有効状態になる、請求項２に記載の薬剤送達装置。
【請求項４】
薬剤終了合図機構をさらに備え、前記薬剤終了合図機構は、前記プランジャーロッド（１１２）と前記アクチュエータ（９０）との間に動作可能に配置された前記駆動用ばね（１１４）と、前記プランジャーロッド（１１２）が近位端位置に達するまで前記アクチュエータ（９０）を解放可能にロックするように配置されたロック／ロック解除要素（９４、１００）とを含み、前記ロック／ロック解除要素（９４、１００）が前記アクチュエータ（９０）のロックを解除することによって、前記アクチュエータ（９０）は前記駆動用ばね（１１４）によって前記遠位方向に強く動かされて固定面に当たって薬剤終了合図を出す、請求項１〜３のいずれか１項に記載の薬剤送達装置。
【請求項５】
前記ロック／ロック解除要素は、前記保持要素（９４、１００）を含み、前記保持要素（９４、１００）は、前記プランジャーロッド（１１２）によってロック位置に配置されている、請求項４に記載の薬剤送達装置。
【請求項６】
前記薬剤送達装置が抜かれた後に前記薬剤送達部材ガード（３４）を、前記近位方向に押し進めるように配置された薬剤送達部材ガード用ばね（１５４）をさらに備える、請求項２に記載の薬剤送達装置。
【請求項７】
薬剤送達部材ガードロック機構をさらに備え、前記薬剤送達部材ガードロック機構は、前記薬剤送達部材ガード（３４）の前記近位方向への動きによって前記アクチュエータ・スリーブ（７６）の内面に設けられた前記遠位方向に向いた突起（９１）を前記舌部（９４）が通過して略径方向に撓んで前記舌部（９４）の前記突起（９１）との係合が前記薬剤送達部材ガード（３４）の前記遠位方向への動きをロックすることになるように、前記突起（９１）と相互に作用し合う、前記保持要素（９４、１００）の前記舌部（９４）を含む、請求項６に記載の薬剤送達装置。
【請求項８】
薬剤送達部材ガードロック合図機構をさらに備え、前記薬剤送達部材ガードロック機構は、前記薬剤送達部材ガード（３４）の前記近位方向への動きによって前記アクチュエータ・スリーブ（７６）の内面に設けられた前記遠位方向に向いた突起（９１）を前記舌部（９４）が通過して略径方向に撓んで薬剤送達部材ガードロック合図を生じさせるように、前記突起（９１）と相互に作用し合う、前記保持要素（９４、１００）の前記舌部（９４）を含む、請求項７に記載の薬剤送達装置。
【請求項９】
前記筐体（１６、１８）は、中央通路（１２８）が設けられた遠位筐体部（１８）を有し、
前記第１部分（１２６）は、外側筒状部を有し、前記外側筒状部は、前記中央通路（１２８）内に摺動可能に配置されている、請求項１〜８のいずれか１項に記載の薬剤送達装置。
【請求項１０】
前記第１部分（１２６）は、相互に反対側に位置する２つの側部を有しており、
２つの前記側部の各々に、切欠き（１３０）が設けられており、
前記第１部分（１２６）は、長手方向に延在する隆起部（１３２）が設けられた内面を有し、前記隆起部（１３２）は、前記第１部分（１２６）の端面から距離をあけて終端をなすように設けられている、請求項９に記載の薬剤送達装置。
【請求項１１】
前記第２部分（１３４）は、略円盤状の本体（１３６）を有し、
前記本体（１３６）は、前記第１部分（１２６）の前記外側筒状部の内径に対応する直径を有し、
前記本体（１３６）の近位面が長手方向に延びる前記隆起部（１３２）の遠位端面と接触するように、前記本体（１３６）は前記外側筒状部の内側に嵌めて配置される、請求項１０に記載の薬剤送達装置。
【請求項１２】
円盤状の前記本体（１３６）には、近位方向に向いた舌部（１３８）が設けられており、当該舌部は、前記薬剤送達装置の長手方向と概ね平行な第１セクション（１４０）を有している、請求項１１に記載の薬剤送達装置。
【請求項１３】
前記第１セクション（１４０）は、外向きに傾斜した第２セクション（１４２）と相互に連結されており、前記第２セクション（１４２）は、前記薬剤送達装置の長手方向と概ね平行な第３セクション（１４４）と相互に連結されている、請求項１２に記載の薬剤送達装置。
【請求項１４】
前記第２セクション（１４２）は、遠位方向に向いた突起（１４６）を有し、
前記突起（１４６）は、前記第１部分（１２６）と前記第２部分（１３４）とが相互に連結された状態で、前記第１部分（１２６）に設けられた２つの前記切欠き（１３０）の各々における近位方向に向いた端面（１４８）と係合し、
前記第１部分（１２６）と前記第２部分（１３４）とが相互に連結された状態で、２つの前記切欠き（１３０）の各々に前記第３セクション（１４４）が配置され、
前記舌部（１３８）の自由端は、内向きの突起（１５０）を有し、
円盤状の前記本体（１３６）は、２つの近位方向に向いたアーム（１５２）を有して配置されている、請求項１３に記載の薬剤送達装置。